(57)【特許請求の範囲】
【請求項１】
下枠の長手両端からそれぞれ立設された側枠の上端に上枠が架設されてロ字状に形成されたかご枠と、上記下枠に載置状態に設けられたかご床と、上記かご床から立設された壁板と上記壁板の上端に被着された天井とからなるかご室と、上記かご室の側面に設けられ、上記側枠の両側に互いに隣接状態に配置された出入口と、上記下枠の長手の両側の上記長手に交差する方向にそれぞれ設けられて上記長手の中間に配置され、一端が上記かご床の上記下枠から離れた縁部寄りに固定され他端は上記下枠に固定された支え部材とを備えたエレベーターのかご。
【請求項２】
かご枠を、方形をなすかご床の対角線に沿って下枠が配置されたものとしたことを特徴とする請求項１記載のエレベーターのかご。
【請求項３】
下枠の長手中間に固定されて、上記下枠の長手に交差する方向の両側に配置された支え部材の上記下枠側端部が固定された鍔板を備えたことを特徴とする請求項１記載のエレベーターのかご。
【請求項４】
支え部材を、上記支え部材の延長線が下枠側において上記下枠の横断面における剪断中心を通る姿勢に配置したことを特徴とする請求項１記載のエレベーターのかご。
【請求項５】
下枠を、管体からなるものとしたことを特徴とする請求項１記載のエレベーターのかご。
【請求項６】
側枠によるかご床隅部の荷重支持点、両側の上記荷重支持点を結ぶ線から張り出した上記かご床の図形における重心点、上記荷重支持点及び重心点を結ぶ線の延長線と上記かご床外周との交点位置に、支え部材の上記かご床側の端部を配置したことを特徴とする請求項１記載のエレベーターのかご。
【発明の詳細な説明】
【０００１】
【発明の属する技術分野】
この発明は、ロ字状に組立てられたかご枠の下枠に、かご床が載置状態に設けられたエレベーターのかごに関する。
【０００２】
【従来の技術】
図９及び図１０は、従来のエレベーターのかごを示す図で、図９は正面図、図１０は図９のかご床の平面図である。図において、１はかご枠で、下枠２の長手両端からそれぞれ立設された側枠３の上端に、上枠４が架設されてロ字状に組立てられている。
【０００３】
５はかご床で、平面においてほぼ方形をなし下枠２に載置状態に設けられて対角線が下枠２の長手に沿って配置されて、周縁部材６、周縁部材６の間に配置されかご床５面の中間に設けられた床梁７、周縁部材６及び床梁７の上に被着された床板８並びに側枠３の両側に互いに隣接状態に配置された周縁部材６に装着された後述する出入口の敷居９が設けられている。
【０００４】
１０はかご室で、かご床５から立設された壁板１１、側面に敷居９に対応して配置された出入口１２及び壁板１１の上端に被着された天井１３が設けられている。１４はかご床５とかご枠１の側枠３を接続する目板、１５はエレベーターの昇降路（図示しない）に立設されてエレベーターのかごの昇降を案内するレール、１６は目板１４に設けられてレール１５に上下移動可能に係合された案内具である。
【０００５】
従来のエレベーターのかごは上記のように構成され、上枠４を介して主索（図示しない）により吊持されて、主索が巻上機（図示しない）によって駆動されると、案内具１６によりレール１５に案内されて昇降する。また、かご床５に作用する積荷等の負荷がかご枠１を介して主索によって吊持され、また負荷によりかご床５に対して作用する偏荷重は目板１４から側枠３に伝達されて案内具１６を経てレール１５によって支持される。
【０００６】
【発明が解決しようとする課題】
上記のような従来のエレベーターのかごでは、かごの積荷等によってかご床５に作用する偏荷重を支持するために、かご床５自体、目板１４及び側枠３の強化が必要となる。このため、これらの部材の強化のために材料費が嵩み、またエレベーターのかごの重量が増加する。このため、レール１５、主索、巻上機等の関連部材、機器の重厚化が派生するので、エレベーターの製造費が増大するという問題点があった。
【０００７】
なお、かご床５に作用する偏荷重を支持するために、側枠３の上端部と下枠２から離れたかご床５の縁部を連結する斜め控えを設けた構成が実施されている。しかし、側枠３に隣接した出入口１２を前述の斜め控えが横切って設けられることなる。したがって、側枠３に隣接した出入口１２が設けられる場合には、斜め控えによってかご床５の偏荷重を支持する構成は適用不能である。
【０００８】
また、かご枠１の間口に対応するかご床５の寸法が長い場合には、側枠３の上端部と側枠３に沿うかご床５の縁部を連結する斜め控えを設けた構成であっても、下枠２と並行に配置されるかご床５の縁部において、かご枠１の間口中心対応位置の撓みが大きくなる。この対策として、かご床５の剛性を向上を図るとかご床５重量が増すことになり、前述のように関連部材等の重厚化派生による不具合が生じる。
【０００９】
この発明は、かかる問題点を解消するためになされたものであり、簡易な構成によってかご床に作用する偏荷重を支持するエレベーターのかごを得ることを目的とする。
【００１０】
【課題を解決するための手段】
この発明に係るエレベーターのかごにおいては、下枠の長手両端からそれぞれ立設された側枠の上端に、上枠が架設されてロ字状に形成されたかご枠と、下枠に載置状態に設けられたかご床と、かご床から立設された壁板と壁板の上端に被着された天井とからなるかご室と、かご室の側面に設けられ、側枠の両側に互いに隣接状態に配置された出入口と、下枠の長手の両側の長手に交差する方向にそれぞれ設けられて下枠の長手中間に配置され、一端がかご床の下枠から離れた縁部寄りに固定されて、他端は下枠に固定された支え部材とが設けられる。
【００１１】
また、この発明に係るエレベーターのかごにおいては、方形をなすかご床の対角線に沿って下枠が配置されたかご枠が設けられる。
【００１２】
また、この発明に係るエレベーターのかごにおいては、下枠の長手中間に固定されて、下枠の長手の両側の長手に交差する方向に配置された支え部材の下枠側端部が固定された鍔板が設けられる。
【００１３】
また、この発明に係るエレベーターのかごにおいては、支え部材の延長線が下枠側において下枠の横断面における剪断中心を通る位置に、下枠の長手の両側の長手に交差する方向に支え部材が配置される。
【００１４】
また、この発明に係るエレベーターのかごにおいては、管体からなる下枠が設けられる。
【００１５】
また、この発明に係るエレベーターのかごにおいては、側枠によるかご床隅部の荷重支持点、両側の荷重支持点を結ぶ線から張り出したかご床の図形における重心点、荷重支持点及び重心点を結ぶ線の延長線とかご床外周との交点位置に支え部材のかご床側の端部が配置される。
【００１６】
【発明の実施の形態】
実施の形態１．
図１及び図２は、この発明の実施の形態の一例を示す図で、図１は正面図、図２は図１の左側面図である。図において、１はかご枠で、下枠２の長手両端からそれぞれ立設された側枠３の上端に、上枠４が架設されてロ字状に形成されている。
【００１７】
５はかご床で、平面においてほぼ方形をなし下枠２に載置状態に設けられて対角線が下枠２の長手に沿って配置され、周縁部材６、周縁部材６の間に配置されかご床５面の中間に設けられた床梁７、周縁部材６及び床梁７の上に被着された床板８並びに側枠３の両側に互いに隣接状態に配置された周縁部材６に装着された後述する出入口の敷居９が設けられている。
【００１８】
１０はかご室で、かご床５から立設された壁板１１、側面に敷居９に対応して配置された出入口１２及び壁板１１の上端に被着された天井１３が設けられている。１４はかご床５とかご枠１の側枠３を接続する目板、１５はエレベーターの昇降路に立設されてエレベーターのかごの昇降を案内するレール、１６は下枠２の長手端に設けられてレール１５に上下移動可能に係合された案内具である。
【００１９】
１７は下枠２の長手中心位置に設けられて下側へ突出して配置された鍔板、１８は支え部材で、かご床５の下側に設けられて長手が下枠２の長手と直交し、かつかご枠１の間口中心対応位置に配置されて下枠２の長手の両側にそれぞれ配置され、一端がかご床５における下枠２から離れた縁部寄りの床梁７に固定され他端は鍔板１７の下部寄りに固定されている。
【００２０】
上記のように構成されたエレベーターのかごは、上枠４を介して主索により吊持されて、主索が巻上機によって駆動されると、案内具１６によりレール１５に案内されて昇降する。また、かご床５に作用する積荷等の負荷がかご枠１を介して主索によって吊持され、また負荷によりかご床５に作用する偏荷重は、かご枠１間口方向の中心対応位置において、支え部材１８から下枠２、側枠３に伝達されて案内具１６を経てレール１５によって支持される。
【００２１】
また、支え部材１８の下枠２側端部が鍔板１７に固定されて、下枠２の両側に配置される支え部材１８が下枠２の長手における同一位置に連結される。このため、支え部材１８を介して下枠２に作用する荷重によって生じる剪断モーメントが減少する。
【００２２】
したがって、かご床５の偏荷重支持のための、かご床５自体、目板１４、側枠３及び下枠２の別段の強化を要しない。このため、これらの部材の材料費の増加、またエレベーターのかごの重量の増加がなく、標準仕様のレール１５、主索、巻上機等の関連部材、機器を使用することができる。したがって、簡易な構成によってかご床５に作用する偏荷重を支持することができエレベーターの製造費を低減することができる。
【００２３】
実施の形態２．
図３は、この発明の他の実施の形態の一例を示す図で、前述の図１の底面図相当図である。なお、図３の他は前述の図１及び図２と同様にエレベーターのかごが構成されている。図において、図１及び図２と同符号は相当部分を示し、１７は下枠２の長手中間位置に互いに離れて設けられた鍔板である。
【００２４】
１８は支え部材で、かご床５の下側に設けられて長手が下枠２の長手と直交し、下枠２の長手の両側にそれぞれ配置され、かつ鍔板１７位置にそれぞれ配置され、一端がかご床５における下枠２から離れた周縁部材６に固定され、他端は鍔板１７の下部寄りに固定されている。
【００２５】
上記のように構成されたエレベーターのかごは、上枠４を介して主索により吊持されて、主索が巻上機によって駆動されると、案内具１６によりレール１５に案内されて昇降する。また、かご床５に作用する積荷等の負荷がかご枠１を介して主索によって吊持される。
【００２６】
また負荷によりかご床５に作用する偏荷重は、かご枠１間口方向における鍔板１７位置においてそれぞれ、支え部材１８から下枠２、側枠３に伝達されて案内具１６を経てレール１５によって支持される。
したがって、詳細な説明を省略するが図３の実施の形態においても図１及び図２の実施の形態と同様な作用が得られる。
【００２７】
実施の形態３．
図４も、この発明の他の実施の形態の一例を示す図で、前述の図１の底面図相当図である。なお、図４の他は前述の図１及び図２と同様にエレベーターのかごが構成されている。図において、図１及び図２と同符号は相当部分を示し、５は平面において六角形をなすかご床、２は下枠で、敷居９が設けられた六角形の辺に接続した辺に配置されて、互いに対向した辺の相互を横切って設けられている。１７は下枠２の長手中間位置に互いに離れて設けられると共に、下枠２の長手中心位置に設けられた三個の鍔板である。
【００２８】
１８は支え部材で、かご床５の下側に設けられて長手が下枠２の長手と直交し、かつ鍔板１７位置にそれぞれ配置されて、下枠２の長手中心位置に配置された支え部材１８は反敷居９側へ延長され、下枠２の長手中間位置に配置された支え部材１８は敷居９側へ延長されて、一端がかご床５における下枠２から離れた周縁部材６に固定され、他端は鍔板１７の下部寄りに固定されている。
【００２９】
上記のように構成されたエレベーターのかごは、上枠４を介して主索により吊持されて、主索が巻上機によって駆動されると、案内具１６によりレール１５に案内されて昇降する。また、かご床５に作用する積荷等の負荷がかご枠１を介して主索によって吊持される。
【００３０】
また負荷によりかご床５に作用する偏荷重は、かご枠１間口方向に配置された鍔板１７位置においてそれぞれ、支え部材１８から下枠２、側枠３に伝達されて案内具１６を経てレール１５によって支持される。
したがって、詳細な説明を省略するが図４の実施の形態においても図１及び図２の実施の形態と同様な作用が得られる。
【００３１】
実施の形態４．
図５も、この発明の他の実施の形態の一例を示す図で、前述の図１の要部縦断面図相当図である。なお、図５の他は前述の図１及び図２と同様にエレベーターのかごが構成されている。図において、図１及び図２と同符号は相当部分を示し、２は角管による管体からなる下枠である。
【００３２】
１８は支え部材で、かご床５の下側に設けられて長手が下枠２の長手と直交し、かつかご枠１の間口中心対応位置に配置され、かつ下枠２の長手の両側にそれぞれ配置され、一端がかご床５における下枠２から離れた縁部寄りの床梁７に固定され、他端は鍔板１７に固定されている。また、支え部材１８はその延長線が下枠２の図５に示す剪断中心Ｃを通る姿勢に配置されている。
【００３３】
上記のように構成されたエレベーターのかごは、上枠４を介して主索により吊持されて、主索が巻上機によって駆動されると、案内具１６によりレール１５に案内されて昇降する。また、かご床５に作用する積荷等の負荷がかご枠１を介して主索によって吊持される。
【００３４】
また負荷によりかご床５に作用する偏荷重は、かご枠１間口方向に配置された鍔板１７位置においてそれぞれ、支え部材１８から下枠２、側枠３に伝達されて案内具１６を経てレール１５によって支持される。
したがって、詳細な説明を省略するが図５の実施の形態においても図１及び図２の実施の形態と同様な作用が得られる。
【００３５】
また、図５の実施の形態において、支え部材１８の延長線が下枠２の図５に示す剪断中心Ｃを通るように支え部材１８が配置されているので、支え部材１８を介して下枠２に伝達される荷重によって下枠２に発生する捩じりモーメントが少なくなる。したがって、下枠２を軽薄化することができ製作費を節減することができ、また重量増によって派生する巻上機等の関連部材、機器の重厚化のために生じる製造費増加を抑制することができる。
【００３６】
また、管体からなる下枠２が設けられるので、支え部材１８から下枠２に伝達される荷重、すなわち下枠２の長手に水平方向において交差する方向荷重に対して高い剛性によって対応することができる。これによっても、下枠２を軽薄化することができ製作費を節減することができ、また重量増によって派生する巻上機等の関連部材、機器の重厚化のために生じる製造費増加を抑制できる。
【００３７】
実施の形態５．
図６も、この発明の他の実施の形態の一例を示す図で、前述の図３に相当するかごの底面概念図である。なお、図６の他は前述の図１及び図２と同様にエレベーターのかごが構成されている。図において、図１及び図２と同符号は相当部分を示し、Ｄは側枠３によるかご床５の荷重支持点、Ｇは荷重支持点Ｄを結ぶ線とかご床５の外周によって形成される図形における重心点、Ｈは荷重支持点Ｄと重心点Ｇを結ぶ線の延長線とかご床５の外周との交点である。
【００３８】
上記のように構成されたエレベーターのかごは、上枠４を介して主索により吊持されて、主索が巻上機によって駆動されると、案内具１６によりレール１５に案内されて昇降する。また、かご床５に作用する積荷等の負荷がかご枠１を介して主索によって吊持される。
【００３９】
また、負荷によりかご床５に作用する偏荷重は、かご枠１間口方向における鍔板１７位置においてそれぞれ、支え部材１８から下枠２、側枠３に伝達されて案内具１６を経てレール１５によって支持される。
したがって、詳細な説明を省略するが図６の実施の形態においても図１及び図２の実施の形態と同様な作用が得られる。
【００４０】
また、図６の実施の形態において、荷重支持点Ｄと重心点Ｇ結ぶ線の延長線と、かご床５の外周との交点Ｈ位置に支え部材１８のかご床５側の端部が配置される。このため、荷重支持点Ｄを結ぶ線とかご床５の外周によって形成される図形に作用する偏荷重を、支え部材１８によって効率よく支持することができる。したがって、支え部材１８を軽薄化することができ製作費を節減することができ、また重量増によって派生する巻上機等の関連部材、機器の重厚化のために生じる製造費増加を抑制することができる。
【００４１】
実施の形態６．
図７及び図８も、この発明の他の実施の形態の一例を示す図で、図７は正面図、図８は図７の左側面図である。図において、図１及び図２と同符号は相当部分を示し、１７は下枠２の長手中間位置に互いに離れて設けられた鍔板、１８は支え部材で、かご床５の下側に設けられて長手が下枠２の長手と直交し、下枠２の長手の両側にそれぞれ配置され、かつ鍔板１７位置にそれぞれ配置され、一端がかご床５における下枠２から離れた床梁７に固定され、他端は鍔板１７の下部寄りに固定されている。
【００４２】
上記のように構成されたエレベーターのかごは、上枠４を介して主索により吊持されて、主索が巻上機によって駆動されると、案内具１６によりレール１５に案内されて昇降する。また、かご床５に作用する積荷等の負荷がかご枠１を介して主索によって吊持される。
【００４３】
また負荷によりかご床５に作用する偏荷重は、かご枠１間口方向における鍔板１７位置においてそれぞれ、支え部材１８から下枠２、側枠３に伝達されて案内具１６を経てレール１５によって支持される。
したがって、詳細な説明を省略するが図７及び図８の実施の形態においても図１及び図２の実施の形態と同様な作用が得られる。
【００４４】
また、図７及び図８の実施の形態において、かご枠１の間口に対応するかご床５の寸法が特に長い場合には、下枠２の長手中間部の互いに離れ位置に支え部材１８が設けられて、下枠２と並行に配置されるかご床５の縁部における偏荷重が支持される。このため、下枠２と並行するかご床５の縁部の剛性向上を特に図る必要がなく、かご床５を軽薄化することができ製作費を節減することができる。また、かご床５の重量増によって派生する巻上機等の関連部材、機器の重厚化のために生じる製造費増加を抑制することができる。
【００４５】
【発明の効果】
この発明は以上説明したように、下枠の長手両端からそれぞれ立設された側枠の上端に上枠が架設されてロ字状に形成されたかご枠と、下枠に載置状態に設けられたかご床と、かご床から立設された壁板と壁板の上端に被着された天井とからなるかご室と、かご室の側面に設けられ、側枠の両側に互いに隣接状態に配置された出入口と、下枠の長手の両側の長手に交差する方向にそれぞれ設けられて下枠の長手中間に配置され、一端がかご床の下枠から離れた縁部寄りに固定され、他端は下枠に固定された支え部材とを設けたものである。
【００４６】
これによって、かご床に作用する積荷等の負荷がかご枠を介して吊持され、また負荷によりかご床に作用する偏荷重は、かご枠間口方向の中間対応位置において、支え部材から下枠、側枠に伝達されて側枠に設けられた案内具を経てかごの昇降を案内するレールによって支持される。したがって、かご床の偏荷重支持のための、かご床自体、側枠等の別段の強化を要せず、これらの部材の材料費の増加、またエレベーターのかごの重量の増加がなく、標準仕様の巻上機等の関連部材、機器を使用することができる。このため、簡易な構成によってかご床に作用する偏荷重を支持できてエレベーターの製造費を低減する効果がある。
【００４７】
また、この発明は以上説明したように、方形をなすかご床の対角線に沿って下枠が配置されたかご枠を設けたものである。
【００４８】
これによって、方形をなすかごかご床に作用する積荷等の負荷がかご枠を介して吊持され、また負荷によりかご床に作用する偏荷重は、かご枠間口方向の中間対応位置において、支え部材から下枠、側枠に伝達されて側枠に設けられた案内具を経てかごの昇降を案内するレールによって支持される。したがって、かご床の偏荷重支持のための、かご床自体、側枠等の別段の強化を要せず、これらの部材の材料費の増加、またエレベーターのかごの重量の増加がなく、標準仕様の巻上機等の関連部材、機器を使用することができる。
【００４９】
このため、簡易な構成によってかご床に作用する偏荷重を支持できてエレベーターの製造費を低減する効果がある。
また、方形をなすかご床の対角線に沿って下枠が配置されるので、下枠に支え部材を対称態様に設けることができて、効率よく偏荷重を支持でき、また製作を容易化する効果がある。
【００５０】
また、この発明は以上説明したように、下枠の長手中間に固定されて、下枠の長手の両側の長手に交差する方向に配置された支え部材の下枠側端部が固定された鍔板を設けたものである。
【００５１】
これによって、かご床に作用する積荷等の負荷がかご枠を介して吊持され、また負荷によりかご床に作用する偏荷重は、かご枠間口方向の中間対応位置において、支え部材から下枠、側枠に伝達されて側枠に設けられた案内具を経てかごの昇降を案内するレールによって支持される。また、支え部材の下枠側端部が鍔板に固定されて、下枠両側の支え部材が下枠の長手における同一位置に連結される。このため、支え部材を介して下枠に作用する荷重によって生じる剪断モーメントが減少する。
【００５２】
したがって、かご床の偏荷重支持のための、かご床自体、側枠、下枠等の別段の強化を要せず、これらの部材の材料費の増加、またエレベーターのかごの重量の増加がなく、標準仕様の巻上機等の関連部材、機器を使用することができる。このため、簡易な構成によってかご床に作用する偏荷重を支持できてエレベーターの製造費を低減する効果がある。
【００５３】
また、この発明は以上説明したように、支え部材の延長線が下枠側において下枠の横断面における剪断中心を通る位置に、下枠の長手の両側の長手に交差する方向に設けられた支え部材を配置したものである。
【００５４】
これによって、かご床に作用する積荷等の負荷がかご枠を介して吊持され、また負荷によりかご床に作用する偏荷重は、かご枠間口方向の中間対応位置において、支え部材から下枠、側枠に伝達されて側枠に設けられた案内具を経てかごの昇降を案内するレールによって支持される。また、支え部材の延長線が下枠側において下枠の横断面における剪断中心を通る位置に配置されるので、支え部材を介して下枠に伝達される荷重によって下枠に発生する捩じりモーメントが少なくなる。
【００５５】
したがって、かご床の偏荷重支持のための、かご床自体、側枠、下枠等の別段の強化を要せず、これらの部材の材料費の増加、またエレベーターのかごの重量の増加がなく、標準仕様の巻上機等の関連部材、機器を使用することができる。このため、簡易な構成によってかご床に作用する偏荷重を支持できてエレベーターの製造費を低減する効果がある。
【００５６】
また、この発明は以上説明したように、中空の管体からなる下枠を設けたものである。
【００５７】
これによって、かご床に作用する積荷等の負荷がかご枠を介して吊持され、また負荷によりかご床に作用する偏荷重は、かご枠間口方向の中間対応位置において、支え部材から下枠、側枠に伝達されて側枠に設けられた案内具を経てかごの昇降を案内するレールによって支持される。また、管体からなる下枠が設けられるので、支え部材から下枠の長手に水平方向において交差する方向から下枠に作用する荷重に対して高い剛性によって対応することができる。
【００５８】
したがって、かご床の偏荷重支持のための、かご床自体、側枠、下枠等の別段の強化を要せず、これらの部材の材料費の増加、またエレベーターのかごの重量の増加がなく、標準仕様の巻上機等の関連部材、機器を使用することができる。このため、簡易な構成によってかご床に作用する偏荷重を支持できてエレベーターの製造費を低減する効果がある。
【００５９】
また、この発明は以上説明したように、側枠によるかご床隅部の荷重支持点、両側の荷重支持点を結ぶ線から張り出した図形における重心点、荷重支持点及び重心点を結ぶ線の延長線とかご床外周との交点位置に、支え部材のかご床側の端部を配置したものである。
【００６０】
これによって、かご床に作用する積荷等の負荷がかご枠を介して吊持され、また負荷によりかご床に作用する偏荷重は、かご枠間口方向の中間対応位置において、支え部材から下枠、側枠に伝達されて側枠に設けられた案内具を経てかごの昇降を案内するレールによって支持される。また、かご床隅部の荷重支持点と両側の荷重支持点を結ぶ線から張り出したかご床の図形における重心点を結ぶ線の延長線と、かご床の外周との交点位置に支え部材のかご床側の端部が配置されるので、かご床の張り出した図形に作用する偏荷重が支え部材によって効率よく支持される。
【００６１】
したがって、かご床の偏荷重支持のための、かご床自体、側枠、下枠等の別段の強化を要せず、これらの部材の材料費の増加、またエレベーターのかごの重量の増加がなく、標準仕様の巻上機等の関連部材、機器を使用することができる。このため、簡易な構成によってかご床に作用する偏荷重を支持できてエレベーターの製造費を低減する効果がある。
【図面の簡単な説明】
【図１】  この発明の実施の形態１を示す正面図。
【図２】  図１の左側面図。
【図３】  この発明の実施の形態２を示す前述の図１の底面図相当図。
【図４】  この発明の実施の形態３を示す前述の図１の底面図相当図。
【図５】  この発明の実施の形態４を示す図で、前述の図１の要部縦断面図相当図。
【図６】  この発明の実施の形態５を示す図で、前述の図３に相当するかごの底面概念図。
【図７】  この発明の実施の形態６を示す正面図。
【図８】  図７の左側面図。
【図９】  従来のエレベーターのかごを示す正面図。
【図１０】  図９のかご床の平面図。
【符号の説明】
１  かご枠、２  下枠、３  側枠、４  上枠、５  かご床、１７  鍔板、１８支え部材、Ｄ  荷重支持点、Ｇ  重心点、Ｈ  交点。
【図１】
0004294777.tif 000002
【図２】
0004294777.tif 000003
【図３】
0004294777.tif 000004
【図４】
0004294777.tif 000005
【図５】
0004294777.tif 000006
【図６】
0004294777.tif 000007
【図７】
0004294777.tif 000008
【図８】
0004294777.tif 000009
【図９】
0004294777.tif 000010
【図１０】
0004294777.tif 000011